(57)【要約】【課題】着用状態にあるときの外観を良好に保つことのできる着用物品の提供。【解決手段】使い捨ておむつを一例とする着用物品のシャシー２０が後胴回り域の両側縁部２１に横方向Ｘへ延出するパネル部３０を有する。パネル部３０は、弾性シート３１によって形成され、基縁部３２と先端縁部３３との間に延びる前縁部３４と後縁部３６とを有する。前縁部３４と後縁部３６とのうちの少なくとも一方の縁部では、弾性シート３１が折り重ねられ、互いに接合している。【選択図】図２
2014073250.tif 000002
【特許請求の範囲】
【請求項１】
互いに直交する前後方向と横方向とを有するシャシーの前記前後方向では前胴回り域と後胴回り域との間に股下域が介在し、前記後胴回り域では前記前後方向へ互いに並行して延びる前記シャシーの両側縁部からパネル部が延出し、延出した前記パネル部の先端縁部には前記前後胴回り域を連結するためのファスナ部が形成されている着用物品であって、
前記パネル部は、前記横方向において弾性的な伸長と収縮との反復が可能な弾性シートによって形成され、前記シャシーに対する接合部位を有していて前記前後方向へ延びる基縁部と、前記基縁部に並行し前記前後方向へ延びる前記先端縁部とを有し、前記基縁部と前記先端縁部との間には前縁部と後縁部とが形成され、前記前縁部と前記後縁部との前記前後方向における離間寸法が前記基縁部から前記先端縁部に向かって次第に小さくなっており、前記前縁部と前記後縁部とのうちの少なくとも一方の縁部においては、前記少なくとも一方の縁部に沿って前記弾性シートが折り重ねられて互いに接合していることを特徴とする前記着用物品。
【請求項２】
前記パネル部は台形のものであり、前記先端縁部が前記前後方向に延びていて前記基縁部に平行し、前記前縁部と前記後縁部とは長さが等しくかつ前記基縁部との交角が等しい請求項１記載の着用物品。
【請求項３】
前記ファスナ部は、前記先端縁部に接合する固定域と前記先端縁部から前記横方向へ延びる延出域とを有するテープ部と、前記延出域にあって前記前胴回り域の所要部位に対して着脱可能な止着部とによって形成されていて、前記固定域が前記前縁部と前記後縁部との間に位置し、かつ、折り重ねられて互いに接合している前記弾性シートと重なることがないように前記先端縁部に接合している請求項１または２記載の着用物品。
【請求項４】
前記シャシーは前記両側縁部に前記前後方向へ伸長状態で延びる脚回り弾性部材を有し、前記ファスナ部が前記固定域の輪郭の一部分を形成する前縁部を有し、前記前縁部と前記基縁部における前記接合部位の前端部分とを結ぶ線の延長線が前記弾性部材と交差する請求項３記載の着用物品。
【請求項５】
前記弾性シートが、前記少なくとも一方の縁部においては少なくとも三枚重ねとなるように折り重ねられている請求項１−４のいずれかに記載の着用物品。
【請求項６】
折り重ねられている前記弾性シートの幅が３−１５ｍｍの範囲にある請求項１−５のいずれかに記載の着用物品。
【請求項７】
前記パネル部における前記弾性シートは、前記パネル部の前記前後方向における中央域に前記前後方向へ延びるスリットが前記前後方向と前記横方向とに多数形成されている請求項１−６のいずれかに記載の着用物品。
【発明の詳細な説明】
【技術分野】
【０００１】
この発明は、使い捨てのおむつ、使い捨てのおむつカバー、失禁パッドのホルダー等として使用するのに好適な着用物品に関する。
【背景技術】
【０００２】
これら着用物品であって、その着用物品における前後胴回り域をファスナを介して分離可能に連結するものは周知である。例えば、その着用物品が使い捨てのおむつである場合には、開放型のおむつの名の下に周知である。また、そのファスナを着用物品の後胴回り域の側縁部から延出しているパネル部の先端縁部に設ける例もよく知られている。さらにはまた、そのパネル部がおむつの横方向において弾性的に伸長と収縮とが可能なものである例もよく知られている。
【０００３】
例えば、特開２００５−９５６４８号公報（特許文献１）に記載の使い捨ておむつは、後胴回り域の側縁部から横方向へ延出する弾性ウイングを有し、弾性ウイングの先端部分にテープファスナが取り付けられている。弾性ウイングは、横方向へ伸長された状態にある弾性プラスチックフィルムを二枚の不織布でサンドウィッチすることにより形成されていて、横方向への伸長と収縮とが可能である。テープファスナは、弾性ウイングを介して前胴回り域と後胴回り域とを分離可能に連結するために使用されるもので、テープファスナの幅であるおむつの前後方向の寸法が弾性ウイングの先端部分における前後方向の寸法よりも小さい、すなわち、テープファスナは、弾性ウイングよりも幅の狭いものである。
【先行技術文献】
【特許文献】
【０００４】
【特許文献１】特開２００５−９５６４８号公報
【発明の概要】
【発明が解決しようとする課題】
【０００５】
前記従来のおむつを乳幼児に対して着用させるときには、後胴回り域から前胴回り域に向けて弾性ウイングを引張り、弾性的に伸長させた状態でテープファスナを前胴回り域の所要部位に止着する。その弾性ウイングを引張るときには、幅の狭いテープファスナを持つのが通例である。そのようにして引張られた弾性ウイングは、前後方向の中央部、換言すると幅方向の中央部が緊張状態になって、おむつ着用者の肌を覆う前胴回り域に密着する一方、横方向へ延びる弾性ウイングの前縁部と後縁部は、前胴回り域から離れるように反り返ることがある。そのような状態にある弾性ウイングは、その外観が好ましいものではないことに加えて、着用したおむつの外面の滑らかさを損ない、その外面を肌触りの悪いものにするということがある。また、乳幼児が着用したシャツやスカート等をふくらませて、それらシャツやスカートの外観を悪いものにするということもある。
【０００６】
この発明が課題とするところは、着用状態にあるときの着用物品における外観を良好に保つことができるように改良された着用物品の提供である。
【課題を解決するための手段】
【０００７】
前記課題を解決するために、この発明が対象とするのは、互いに直交する前後方向と横方向とを有するシャシーの前記前後方向では前胴回り域と後胴回り域との間に股下域が介在し、前記後胴回り域では前記前後方向へ互いに並行して延びる前記シャシーの両側縁部からパネル部が延出し、延出した前記パネル部の先端縁部には前記前後胴回り域を連結するためのファスナ部が形成されている着用物品である。
【０００８】
この着用物品において、この発明が特徴とするところは、次のとおりである。前記パネル部は、前記横方向において弾性的な伸長と収縮との反復が可能な弾性シートによって形成され、前記シャシーに対する接合部位を有していて前記前後方向へ延びる基縁部と、前記基縁部に並行して前記前後方向へ延びる前記先端縁部とを有する。前記基縁部と前記先端縁部との間には前縁部と後縁部とが形成され、前記前縁部と前記後縁部との前記前後方向における離間寸法が前記基縁部から前記先端縁部に向かって次第に小さくなっている。前記前縁部と前記後縁部とのうちの少なくとも一方の縁部においては、前記少なくとも一方の縁部に沿って前記弾性シートが折り重ねられて互いに接合している。
【０００９】
この発明の実施態様の一つにおいて、前記パネル部は台形のものであって、前記先端縁部が前記前後方向に延びていて前記基縁部に平行し、前記前縁部と前記後縁部とは長さが等しくかつ前記基縁部との交角が等しい。
【００１０】
この発明の実施態様の他の一つにおいて、前記ファスナ部は、前記先端縁部に接合する固定域と前記先端縁部から前記横方向へ延びる延出域とを有するテープ部と、前記延出域にあって前記前胴回り域の所要部位に対して着脱可能な止着部とによって形成されていて、前記固定域が前記前縁部と前記後縁部との間に位置し、かつ、折り重ねられて互いに接合している前記弾性シートと重なることがないように前記先端縁部に接合している。
【００１１】
この発明の実施態様の他の一つにおいて、前記シャシーは前記両側縁部に前記前後方向へ伸長状態で延びる脚回り弾性部材を有し、前記ファスナ部が前記固定域の輪郭の一部分を形成する前縁部を有し、前記前縁部と前記基縁部における前記接合部位の前端部分とを結ぶ線の延長線が前記弾性部材と交差する。
【００１２】
この発明の実施態様の他の一つにおいて、前記弾性シートが、前記少なくとも一方の縁部においては少なくとも三枚重ねとなるように折り重ねられている。
【００１３】
この発明の実施態様の他の一つにおいて、折り重ねられている前記弾性シートの幅が３−１５ｍｍの範囲にある。
【００１４】
この発明の実施態様の他の一つにおいて、前記パネル部における前記弾性シートは、前記パネル部の前記前後方向における中央域に前記前後方向へ延びるスリットが前記前後方向と前記横方向とに多数形成されている。
【発明の効果】
【００１５】
この発明に係る着用物品は、シャシーの両側縁部から延出するパネル部が弾性シートによって形成されていて、パネル部の前縁部と後縁部とのうちの少なくとも一方では、その弾性シートが折り重ねられて互いに接合している。着用物品を着用するためにパネル部の前後方向の中央部を胴回り方向へ引張ると，パネル部は、その中央部が胴回り方向へ弾性的に伸長するように変形しても、弾性シートが折り重ねられていて変形し難い前縁部および／または後縁部は、前胴回り域の外面に密着し易くて、その外面の滑らかさを損なうことがなく、着用物品の外観を良好に保つことができる。
【図面の簡単な説明】
【００１６】
【図１】着用物品の一例として示す、使い捨ておむつの部分破断平面図。
【図２】図１の部分拡大図。
【図３】図２のＩＩＩ−ＩＩＩ線拡大断面図。
【図４】実施態様の一例を示す図２と同様な図。
【発明を実施するための形態】
【００１７】
この発明に係る着用物品として使い捨ておむつを例にとり、この発明の詳細を説明すると、以下のとおりである。
【００１８】
図１のおむつ１は開放型のものであって、ほぼ矩形のシャシー２０を有する。シャシー２０は、透液性表面シート２と、不透液性裏面シート３とを有し、これら両シート２，３の間には吸収体１０が介在している。両シート２，３はまた、吸収体１０の周縁から延出する部分において重なり合い、ホットメルト接着剤（図示せず）を介して接合している。おむつ１の横方向と前後方向とは、双頭矢印Ｘ，Ｙで示されている。シャシー２０は、その前後方向Ｙにおいて、前胴回り域６と、後胴回り域７と、これら両域６，７の間に介在する股下域８とを有する。前胴回り域６と後胴回り域７とには、横方向Ｘへ延びる帯状の胴回り弾性部材１１，１２が表面シート２と裏面シート３との間にあって、これら両シート２，３の少なくとも一方に伸長状態で取り付けられている。股下域８には、シャシー２０の側縁部２１に沿って前後方向Ｙへ延びる複数条の脚回り弾性部材１３が表面シート２と裏面シート３との間にあって、これら両シート２，３の少なくとも一方に伸長状態で取り付けられている。好ましいシャシー２０において、脚回り弾性部材１３は前後胴回り域６，７のうちの少なくとも後胴回り域７に進入している。
【００１９】
図１，２において、シャシー２０における後胴回り域７の側縁部２１のそれぞれからは、パネル部３０が横方向Ｘに向かって延出している。パネル部３０は、横方向Ｘにおいて弾性的な伸長と収縮とを反復することが可能な弾性シート３１によって形成されていて、その弾性シート３１にはファスナ部３７が形成されている。パネル部３０は、基縁部３２と、先端縁部３３と、前縁部３４と、後縁部３６とを有し、基縁部３２と先端縁部３３とが前後方向Ｙへ延びる一方、前縁部３４と後縁部３６とは基縁部３２と先端縁部３３との間に延びている。基縁部３２は、おむつ１の厚さ方向において、裏面シート３と後記防漏堤１６との間にあり、ホットメルト接着剤１７を介してこれら両者３，１６に接合している。ファスナ部３７は、テープ部３８と、止着部３９とを有する。テープ部３８は非伸長性の不織布やプラスチックフィルムで形成されていて、固定域３８ａと延出域３８ｂとを有する。固定域３８ａは、ホットメルト接着剤等の接合手段（図示せず）を介してパネル部３０に剥離不能に接合している。延出域３８ｂは、先端縁部３３から横方向Ｘに延出している摘持可能な部位であって、その内面に止着部３９を有する。止着部３９は、前胴回り域６の外面に形成されたターゲット域（図示せず）またはそれに代わる適宜の部位に対して着脱可能なもので、商品名マジックテープ（登録商標）等で知られるメカニカルファスナのフック部材や粘着剤等の使用が可能である。
【００２０】
シャシー２０の両側縁部２１のそれぞれでは、防漏堤１６が前後方向Ｙに延びている。防漏堤１６は、撥水性のシート、より好ましくは撥水性にして不透液性のシートで形成されているものであって、互いに並行する外側縁部１６ａと内側縁部１６ｂ、および互いに並行する前端縁部１６ｃと後端縁部１６ｄを有している。外側縁部１６ａと前端縁部１６ｃと後端縁部１６ｄとは、ホットメルト接着剤１７を介してシャシー２０に接合している。内側縁部１６ｂは、前後方向Ｙのうちの少なくとも股下域８においてシャシー２０には接合しておらず、シャシー２０の厚さ方向において表面シート２から離間可能である。内側縁部１６ｂはまたスリーブ１８を有し、スリーブ１８の内側には糸状弾性部材１９がホットメルト接着剤（図示せず）を介して伸長状態で取り付けられている。かような防漏堤１６は、おむつ１が着用されてシャシー２０が表面シート２を内側にして前後方向Ｙにおいて湾曲すると、糸状弾性部材１９が収縮して、内側縁部１６ｂが表面シート２から離間し、表面シート２に対して防漏堤１６が起立した状態になり、表面シート２の上にある体液が横漏れすることを防止することができる。
【００２１】
さらに、図１の部分拡大図である図２において、パネル部３０では、基縁部３２から横方向Ｘへ延びる前縁部３４が基縁部３２と交角αで交わり、後縁部３６が基縁部３２と交角βで交わっている。交角α，βは５０−８０°の範囲にあり、好ましいパネル部３０では、交角αと交角βとが等しい。また、基縁部３２の長さは４０−１３０ｍｍの範囲にあり、先端縁部３３の長さは２０−１００ｍｍの範囲にあることが好ましい。交角α，βが５０°よりも小さいと、ファスナ部３７に作用させる横方向Ｘへの引張り力によって胴回り弾性部材１２を胴回り方向へ引張るということが難しくなる。また、交角α，βが８０°よりも大きいと、パネル部３０が必要以上に大きなものになることがある。前縁部３４と後縁部３６との長さは、基縁部３２と先端縁部３３との長さと交角α，βの大きさとによって決まる値であるが、好ましいパネル部３０では、前縁部３４と後縁部３６とが同じ長さを有している。したがって、この発明における好ましいパネル部３０の形状は等脚台形である。
【００２２】
図２のＩＩＩ−ＩＩＩ線拡大断面図である図３において、パネル部３０を形成している弾性シート３１が前縁部３４と後縁部３６とに沿っておむつ１の外側に向かって折曲され、弾性シート３１どうしが重なり合いホットメルト接着剤４３を介して互いに接合することによって前方重畳部４１と後方重畳部４２とを形成している。前縁部３４が延びる方向と直交する方向において測定される前方重畳部４１の幅Ｗ１と、後縁部３６が延びる方向と直交する方向において測定される後方重畳部４２のＷ２とは（図２参照）、３−１５ｍｍの範囲にある。これら重畳部４１，４２において、弾性シート３１どうしはホットメルト接着剤４３やその他の接着剤によって接合することができる他に、弾性シート３１どうしに加熱条件下または非加熱条件下のエンボス加工を施すことによって接合することができる。
【００２３】
再び図２において、パネル部３０における先端縁部３３にはファスナ部３７における固定域３８ａが接着剤やエンボス加工等の接合手段（図示せず）を使用して取り付けられている。ファスナ部３７は、前後方向Ｙに幅Ｗ３を有し、その幅Ｗ３は、先端縁部３３における前方重畳部４１と後方重畳部４２との離間寸法Ｄ１よりも小さく、前方重畳部４１と後方重畳部４２とに重なることがないようにパネル部３０に取り付けられている。
【００２４】
おむつ１を着用するときには、前後胴回り域６，７を着用者の胴回りにあてがってファスナ部３７の延出域３８ｂを摘持し、パネル部３０を胴回りに沿って適度に伸長しながら止着部３９を前胴回り域６に形成されたターゲットゾーン等の所要部位に止着する。このときのパネル部３０は、それを図２のパネル部３０でみると、弾性シート３１のうちで固定域３８ａの延長上に位置する中央域４５が図２における横方向Ｘへ伸長されていることに相当する。一方、パネル部３０の前縁部３４と後縁部３６とは、前方重畳部４１と後方重畳部４２とが形成されていて、弾性シート３１を横方向Ｘへ伸長させようとする張力が作用しても変形しにくい状態にあり、パネル部３０の外面側に向かって反り返るということが生じにくい。それゆえ、着用後のおむつ１の外面をみると、パネル部３０の存在する部分は平滑で、おむつ１の外観を損ねるということがない。
【００２５】
また、変形し難い後縁部３６は、ファスナ部３７に作用する横方向Ｘ、換言すると胴回り方向の張力を後胴回り域７の弾性部材１２に作用させて、後胴回り域７を着用者に密着させるようにも作用する。
【００２６】
さらにはまた、胴回り方向へ引張られるファスナ部３７の固定域３８ａは、図２における仮想線４６，４７で示すように、パネル部３０を介してシャシー２０における脚回り弾性部材１３をおむつ着用者の身体の上方に向かって引き上げるように力を作用させて、そのおむつ１のずり下がりを防ぐことができる。なお、仮想線４６，４７は、固定域３８ａの輪郭の一部分を形成している前縁部３８ｃと、パネル部３０をシャシー２０と防漏堤１６とに対して接合するホットメルト接着剤１７で形成された接合部位４８の前端部分５０とを結ぶ線である。
【００２７】
図４は、実施態様の一例を示す図２と同様な図である。図４のパネル部３０の中央域４５では、弾性シート３１に対して前後方向Ｙへ延びるスリット６０が多数形成されている。ファスナ部３７が横方向Ｘへ引張られて仮想線で示された状態になると、スリット６０の形成されている中央域４５が容易に弾性的に伸長する一方、前縁部３４に沿う前方重畳部４１と後縁部３６沿う後方重畳部４２とは、中央域４５と比べると、弾性的に著しく伸長しにくい部分となって前縁部３４や後縁部３６の変形を抑えることができる。図４において仮想線で示されたスリット６０は、弾性シート３１が横方向Ｘへ引張られることによって大きく口を開くように変形しているスリット６０を便宜的に示しているが、横方向Ｘへ引張られた実際のパネル部３０では、スリット６０のそれぞれが図示の位置よりも右方向へ移動した位置にある。
【００２８】
この発明では、このように形成されているおむつ１において、前方重畳部４１と後方重畳部４２とのうちの少なくとも一方において、弾性シート３１を三枚重ね以上にすることもできる。また、前縁部３４と後縁部３６とのうちの一方においてのみ重畳部を作る態様でこの発明を実施することもできる。前方重畳部４１および／または後方重畳部４２において、弾性シート３１は、パネル部３０の内面側に折り重ねることもできる。
【符号の説明】
【００２９】
１    おむつ（着用物品）
６    前胴回り域
７    後胴回り域
８    股下域
１３    脚回り弾性部材
２１    側縁部
３０    パネル部
３１    弾性シート
３２    基縁部
３３    先端縁部
３４    前縁部
３６    後縁部
３７    ファスナ部
３８    テープ部
３８ａ    固定域
３８ｂ    延出域
３８ｃ    前縁部
３９    止着部
４５    中央域
４６    線
４７    線
４８    接合部位
５０    前端部分
６０    スリット
Ｗ１，Ｗ２    幅
Ｘ    横方向
Ｙ    前後方向
α    交角
β    交角
【図１】
2014073250.tif 000003
【図２】
2014073250.tif 000004
【図３】
2014073250.tif 000005
【図４】
2014073250.tif 000006